(57)【特許請求の範囲】
【請求項１】
浴槽本体と、該浴槽本体に設けられ入浴者が浴槽内に出入りするための開口部を開閉する扉壁とを備えた介護用浴槽において、
該浴槽本体の底面が床面から離間して設けられ、
下方が縦断面視で該浴槽内方向に湾曲している該扉壁を扇動させて、該開口部を開閉するスイング装置を備え、
該扉壁が該開口部を開いた状態で、該底面の下方と該床面との間に、該開口部側に開放された空隙をもって収納されると共に、該扉壁の上端が該浴槽の内底面より下方に位置し、
該扉壁が該開口部を閉じた状態でも、該空隙が確保され、
該スイング装置が、
一端が扇動自在に回転軸に軸支され、他端が該扉壁を保持するスイングアームと、
該スイングアームの下方に設けられ、端部が該スイングアームに連結されたピストンが略上下に伸縮するアクチュエータと、
略直角三角形で、一方の鋭角部が該スイングアームの回転軸と同軸で扇動自在に軸支され、他方の鋭角部及び直角部が該スイングアームの上方に位置し、該他方の鋭角部が該スイングアームの他端方向に突出し、該直角部が該回転軸側に位置する突上プレートと、
一端が該スイングアームの他端付近に回動自在に軸支され、他端が該突上プレートの直角部付近に回動自在に軸支された牽引バーとを有し、
該アクチュエータのピストンの端部が、該突上プレートの一方の鋭角部に回動自在に連結され、該アクチュエータのピストンの伸縮により、該突上プレートが回動すると共に該牽引バーが該スイングアームを扇動させることを特徴とする介護用浴槽。
【請求項２】
前記スイングアームが、
一端が前記回転軸に軸支されたアーム本体と、
一端が該アーム本体の他端に摺動自在に連結され、他端が前記扉壁を保持する扉壁支持部と、
該アーム本体と該扉壁支持部との間に設けられ、該扉壁支持部を該回転軸の逆方向に付勢する弾性体とからなり、
該弾性体の付勢力により、該扉壁を扇動時に前記浴槽から離間させることを特徴とする請求項１記載の介護用浴槽。
【請求項３】
前記スイングアームの上昇を規制するストッパを備え、
前記牽引バーが前記扉壁支持部に連結され、
該アーム本体が該ストッパに制止された後、前記突上プレートがさらに回動し、前記牽引バーが前記弾性体の付勢力に抗して該扉壁支持部を前記回転軸の方向に牽引することを特徴とする請求項２記載の介護用浴槽。
【請求項４】
前記スイング装置が、前記浴槽の側面に設けられていることを特徴とする請求項１〜請求項３のいずれかに記載の介護用浴槽。
【発明の詳細な説明】
【技術分野】
【０００１】
本発明は、浴槽本体の一部が開閉する介護用浴槽に関する。
【背景技術】
【０００２】
従来より、浴槽本体に設けられ入浴者が浴槽内に出入りするための開口部を開閉する扉壁を備えた介護用浴槽が提供されている。例えば、特許文献１に示される開閉式浴槽は、浴槽正面の扉部が上下に昇降する構造になっている。そして、浴槽正面の浴槽より下の部分は、壁面で覆われている。
【特許文献１】特開２００６−２９６７１５号公報
【発明の開示】
【発明が解決しようとする課題】
【０００３】
しかしながら、従来の介護用浴槽では、浴槽正面の浴槽より下の部分は、壁面で覆われていることから、入浴者を介助する介助者のつま先が壁面に当たってしまい浴槽により接近することができず、介助が困難である。
【０００４】
開口部を開いて入浴者が浴槽に入る場合、扉部が浴槽正面の下の部分に下降していることから、入浴者がまず浴槽の内底面に腰を掛けるときに、入浴者の踵が扉部に当たってしまい足を十分に曲げられずスムーズに腰掛けることが困難である。
【０００５】
本発明は、このような事情に鑑みてなされたもので、介助者のつま先や入浴者の踵が入り組むスペースが確保されており、入浴者が浴槽内に腰掛けやすく、介助者が浴槽に接近して介助を容易に行うことができる介護用浴槽を提供することにある。
【課題を解決するための手段】
【０００６】
請求項１記載の介護用浴槽は、浴槽本体の底面が床面から離間して設けられ、下方が縦断面視で浴槽内方向に湾曲している扉壁を扇動させて、開口部を開閉するスイング装置を備え、扉壁が開口部を開いた状態で、底面の下方と床面との間に、開口部側に開放された空隙をもって収納されると共に、扉壁の上端が浴槽の内底面より下方に位置し、扉壁が開口部を閉じた状態でも、空隙が確保され、スイング装置が、一端が扇動自在に回転軸に軸支され、他端が扉壁を保持するスイングアームと、スイングアームの下方に設けられ、端部がスイングアームに連結されたピストンが略上下に伸縮するアクチュエータと、略直角三角形で、一方の鋭角部がスイングアームの回転軸と同軸で扇動自在に軸支され、他方の鋭角部及び直角部がスイングアームの上方に位置し、他方の鋭角部がスイングアームの他端方向に突出し、直角部が回転軸側に位置する突上プレートと、一端がスイングアームの他端付近に回動自在に軸支され、他端が突上プレートの直角部付近に回動自在に軸支された牽引バーとを有し、アクチュエータのピストンの端部が、突上プレートの一方の鋭角部に回動自在に連結され、アクチュエータのピストンの伸縮により、突上プレートが回動すると共に牽引バーがスイングアームを扇動させることを特徴とする。
【０００７】
請求項２記載の介護用浴槽は、スイングアームが、一端が回転軸に軸支されたアーム本体と、一端がアーム本体の他端に摺動自在に連結され、他端が扉壁を保持する扉壁支持部と、アーム本体と扉壁支持部との間に設けられ、扉壁支持部を回転軸の逆方向に付勢する弾性体とからなり、弾性体の付勢力により、扉壁を扇動時に浴槽から離間させることを特徴とする。
【０００８】
請求項３記載の介護用浴槽は、スイングアームの上昇を規制するストッパを備え、牽引バーが扉壁支持部に連結され、アーム本体がストッパに制止された後、突上プレートがさらに回動し、牽引バーが弾性体の付勢力に抗して扉壁支持部を回転軸の方向に牽引することを特徴とする。
【０００９】
請求項４記載の介護用浴槽は、スイング装置が、浴槽の側面に設けられていることを特徴とする。
【発明の効果】
【００１４】
請求項１の発明によれば、扉壁が、開口部を開いた状態で、底面の下方と床面との間に、開口部側に開放された空隙をもって収納され、扉壁が開口部を閉じた状態でも、空隙が確保されていることから、絶えず開口部側には開放された空隙があり、介助者のつま先や入浴者の踵が入り組むスペースが確保されており、入浴者が浴槽内に腰掛けやすく、介助者が浴槽に接近して介助を容易に行うことができる。また、扉壁の下方が、縦断面視で浴槽内方向に湾曲していることから、浴槽内の入浴スペースを確保しつつ、介助者の膝が扉壁に当たりにくく、介助者が浴槽に接近して介助を容易に行うことができる。さらに、扉壁の上端が、開口部を開いた状態で浴槽の内底面より下方に位置することから、扉壁の上端が内底面の一部になってしまうことがなく、入浴者が浴槽内に腰掛けるときに扉壁が邪魔にならず腰掛けやすい。さらに、スイングアームが、スイングアームの下方に設けられピストンが略上下に伸縮するアクチュエータにより扇動させられることから、スイング装置の小型化が可能で、浴槽本体の大きさを抑えることができる。さらに、アクチュエータのピストンの端部が、突上プレートの一方の鋭角部に回動自在に連結され、ピストンの伸縮により、突上プレートが回動すると共に牽引バーがスイングアームを扇動させることから、アクチュエータのピストンのストロークを短くすることができ、スイング装置の小型化が可能で、浴槽本体の大きさを抑えることができる。
【００１５】
請求項２の発明によれば、弾性体の付勢力により、扉壁を扇動時に浴槽から離間させることから、扉壁をスムーズに開閉させることができる。
【００１６】
請求項３の発明によれば、スイングアームの上昇を規制するストッパを備え、牽引バーが扉壁支持部に連結され、アーム本体がストッパに制止された後、突上プレートがさらに回動し、牽引バーが弾性体の付勢力に抗して扉壁支持部を回転軸の方向に牽引することから、駆動源としてアクチュエータのみで扉壁の扇動及び密閉ができ、スイング装置の小型化が可能で、浴槽本体の大きさを抑えることができる。
【００１７】
請求項４の発明によれば、スイング装置が、浴槽の側面に設けられていることから、スイング装置が入浴者や介助者の邪魔にならない。
【発明を実施するための最良の形態】
【００２２】
以下、本発明の形態について図面を参照しながら具体的に説明する。図１は、本発明に係る介護用浴槽の外観を示す斜視図である。図２は、同介護用浴槽の扉壁が開いた状態を示す斜視図である。図３は、同介護用浴槽の扉壁が開いた状態での動作を示す説明図である。図４は、同介護用浴槽の扉壁が閉じた状態での動作を示す説明図である。図５は、同介護用浴槽の扉壁を密閉する動作を示す説明図である。図６は、同介護用浴槽の扉壁が閉じた状態での使用方法を示す説明図である。図７は、同介護用浴槽の扉壁が開いた状態での使用方法を示す説明図である。
【００２３】
図において、介護用浴槽１は、身体障害者等の自力で入浴が困難な人が、入浴するように構成された浴槽である。介護用浴槽１は、浴槽本体６と、浴槽本体６に設けられ入浴者ｈが浴槽８内に出入りするための開口部８ｂを開閉する扉壁１０とを備えている。浴槽本体６は、底面８ｃが浴室の床面ｆから離間して設けられ、扉壁１０を扇動させて開閉するスイング装置１２を備え、扉壁１０が、開口部８ｂを開いた状態で、底面８ｃの下方と床面ｆとの間に、開口部８ｂ側に開放された空隙ｓをもって収納される。また、開口部８ｂを閉じた状態でも、空隙ｓが確保されている。また、浴槽８の開口部８ｂと反対面の上方には、略水平に扇動する一端が軸支された棒状の手摺り４，５が設けられている。扉壁１０の下方は、縦断面視で浴槽８内方向に湾曲しており、扉壁１０を扇動させるスイング装置１２は、浴槽本体６の側面に設けられている。また、扉壁１０の上端は、開口部８ｂを開いた状態で浴槽８の内底面８ａより下方に位置するようになっている。
【００２４】
次に、スイング装置１２の構造を説明する。スイング装置１２は、軸受１４、アーム本体１８、扉壁支持部２０、扉壁連結部２２、アクチュエータ１６、突上プレート２４、牽引バー２６等から構成されている。軸受１４は、浴槽８の後方に起立する支柱４０の上部に固定され、略長方形のプレート状のアーム本体１８の一端を扇動自在に軸支している。すなわち、軸受１４はアーム本体１８の回転軸である。扉壁支持部２０は、アーム本体１８と同様に略長方形のプレート状で、一端がアーム本体１８の他端の側面に摺動自在に連結されている。すなわち、アーム本体１８と扉壁支持部２０とで扉壁１０を扇動させるスイングアームが構成されている。
【００２５】
具体的には、扉壁支持部２０と長方形のプレート状で一端がＬ字状に折り曲げられたバネ牽引プレート２８とでアーム本体１８を挟み、アーム本体１８に穿設された２つの長孔１８ａ，１８ｂを貫通する摺動ボルト３２，３３で固定されている。この摺動ボルト３２，３３により、扉壁支持部２０とバネ牽引プレート２８とが連結固定され、アーム本体１８の端部で一体で摺動することになる。また、扉壁支持部２０の他端には、扉壁連結部２２が連結ボルト３５で固定され、この扉壁連結部２２を介して扉壁支持部２０が扉壁１０の側端を保持している。さらに、アーム本体１８の他端のバネ牽引プレート２８側の面には、コ字状のバネ係止部１８ｃが突出して設けられ、このバネ係止部１８ｃとバネ牽引プレート２８のＬ字状の部分に設けられたボルト状のバネ調整部３４との間に、弾性体である２本のバネ３０が架設されている。また、アーム本体１８の扇動の上限位置（扉壁が上昇し開口部８ｃを閉じる位置）には、アーム本体１８の他端の上部に当接して上昇を規制するストッパボルト３８が設けられている。
【００２６】
アーム本体１８の回転軸である軸受１４には、アーム本体１８と同様に扇動する略直角三角形のプレート状の突上プレート２４が軸支されている。突上プレート２４の一方の鋭角部が軸受１４に扇動自在に軸支され、他方の鋭角部２４ａ及び直角部２４ｂがアーム本体１８の上方に位置し、他方の鋭角部２４ａがアーム本体１８の他端方向に突出し、直角部２４ｂが軸受１４側に位置している。また、突上プレート２４の直角部２４ｂには、棒状の牽引バー２６の一端が回動自在に連結されている。牽引バー２６の他端は、扉壁支持部２０の摺動ボルト３３に回動自在に連結されている。
【００２７】
アクチュエータ１６は、電動でピストン１６ａが伸縮するものである。アクチュエータ１６は、支柱４０の下方にアクチュエータ軸１６ｂを介して扇動自在に軸支され、ピストン１６ａが上下方向に伸縮するように設けられている。ピストン１６ａの端部は、突上プレート２４の他方の鋭角部２４ａに回動自在に連結されている。
【００２８】
以上のように構成された介護用浴槽１の動作を説明する。まず、図３のように、アクチュエータ１６のピストン１６ａが縮小して、扉壁１０が下降している状態から説明する。この状態で、アクチュエータ１６のピストン１６ａを伸ばし始めると、ピストン１６ａの端部が、突上プレート２４の鋭角部２４ａを突き上げて突上プレート２４を上方に扇動させ始める。この突上プレート２４の上方への扇動により、突上プレート２４の直角部２４ｂも上方に扇動し、直角部２４ｂの扇動に合わせて、牽引バー２６が扉壁支持部２０を引き上げることになる。扉壁支持部２０が引き上げられることにより、アーム本体１８が上方に扇動させられることになる。また、扉壁支持部２０が引き上げられることにより、扉壁連結部２２を介して扉壁１０が上昇する。
【００２９】
アクチュエータ１６のピストン１６ａがさらに伸びると、図４に示すように、扉壁１０が開口部８ｂを塞ぐ位置まで上昇する。アーム本体１８がストッパボルト３８に当接して制止されても、依然としてピストン１６ａが伸びて突上プレート２４を上方に扇動させると、牽引バー２６がさらに引かれることになる。ストッパボルト３８に当接するまでは、バネ３０が扉壁支持部２０を回転軸である軸受１４から離間させる方向に付勢する力が、牽引バー２６による軸受１４方向に牽引する力より勝っていたので、扉壁支持部２０はアーム本体１８を介して扇動することになった。しかし、アーム本体１８がストッパボルト３８に当接し、扇動が規制されたことから、牽引バー２６の牽引力が、バネ３０の付勢する力に勝ることになり、扉壁支持部２０が軸受１４方向に牽引される。扉壁支持部２０が軸受１４方向に牽引されることで、扉壁連結部２２を介して、扉壁１０が開口部８ｂを密封することになる（図５参照）。
【００３０】
尚、扉壁１０を開く場合は、アクチュエータ１６のピストン１６ａを短くさせていく。まず、突上プレート２４が下方に扇動すると、扉壁支持部２０が軸受１４とは逆方向に摺動し、扉壁１０が開口部８ｂから離れた状態となる。そしてさらにピストン１６ａが短くなると、さらに突上プレート２４が下方に扇動し、扉壁支持部２０及びアーム本体１８を下方に扇動させることになる。そして、最終的には、図３に示す位置まで扉壁１０が下がることになる。
【００３１】
以上のように、本実施の形態における介護用浴槽１によれば、図６及び図７に示すように、扉壁１０が開口部８ｂを開いた状態で、底面８ｃの下方に床面ｆとの間に、開口部８ｂ側に開放された空隙ｓをもって収納され、扉壁１０が開口部８ｂを閉じた状態でも、空隙ｓが確保されていることから、絶えず開口部８ｂ側には開放された空隙ｓがあり、介助者ａのつま先や入浴者ｈの踵が入り組むスペースが確保されており、入浴者ｈが浴槽８内に腰掛けやすく、介助者ａが浴槽８に接近して介助を容易に行うことができる。
【００３２】
また、扉壁１０の下方が、縦断面視で浴槽８内方向に湾曲していることから、浴槽８内の入浴スペースを確保しつつ、介助者ａの膝が扉壁１０に当たりにくく、介助者ａが浴槽８に接近して介助を容易に行うことができる。扉壁１０が湾曲していることで、浴槽８内に貯める湯量が少なくてすむため、経済的で、お湯を貯める時間や排水時間を短縮することができる。尚、扉壁１０が湾曲していることで内底面８ａは狭くなるものの、浴槽８上部は広いので狭さを感じにくい。
【００３３】
さらに、扉壁１０の上端が、開口部８ｂを開いた状態で浴槽８の内底面８ａより下方に位置することから、扉壁１０の上端が内底面８ａの一部になってしまうことがなく、入浴者ｈが浴槽８内の内底面８ａに腰掛けるときに扉壁１０が邪魔にならず腰掛けやすい。また、小柄な入浴者ｈであっても、一度で内底面８ａの入浴ポジションに座ることができるため、浴槽８内での座り直しが不要になる。
【００３４】
さらに、アーム本体１８と扉壁支持部２０とからなるスイングアームが、スイングアームの下方に設けられピストン１６ａが略上下に伸縮するアクチュエータ１６により扇動させられることから、スイング装置１２の小型化が可能で、浴槽本体６の大きさを抑えることができる。
【００３５】
さらに、アクチュエータ１６のピストン１６ａの端部が、突上プレート２４の一方の鋭角部２４ａに回動自在に連結され、ピストン１６ａの伸縮により、突上プレート２４が回動すると共に牽引バー２６がスイングアームを扇動させることから、アクチュエータ１６のピストン１６ａのストロークを短くすることができ、スイング装置１２の小型化が可能で、浴槽全体６の大きさを抑えることができる。
【００３６】
さらに、弾性体であるバネ３０の付勢力により、扉壁１０を扇動時に浴槽８から離間させることから、扉壁１０をスムーズに開閉させることができる。
【００３７】
さらに、スイングアームの上昇を規制するストッパボルト３８を備え、牽引バー２６が扉壁支持部２０に連結され、アーム本体１８がストッパボルト３８に制止された後、突上プレート２４がさらに回動し、牽引バー２６がバネ３０の付勢力に抗して扉壁支持部２０を回転軸の方向に牽引することから、駆動源としてアクチュエータ１６のみで扉壁１０の扇動及び密閉ができ、スイング装置１２の小型化が可能で、浴槽本体６の大きさを抑えることができる。
【００３８】
さらに、スイング装置１２が、浴槽８の側面に設けられていることから、スイング装置１２が入浴者ｈや介助者ａの邪魔にならない。尚、スイング装置１２は、浴槽８の両側面に設けてもいいし、一方だけでも構わない。
【産業上の利用可能性】
【００３９】
以上のように、介助者のつま先や入浴者の踵が入り組むスペースが確保されており、入浴者が浴槽内に腰掛けやすく、介助者が浴槽に接近して介助を容易に行うことができる介護用浴槽を提供することができる。
【図面の簡単な説明】
【００４０】
【図１】本発明に係る介護用浴槽の外観を示す斜視図である。
【図２】同介護用浴槽の扉壁が開いた状態を示す斜視図である。
【図３】同介護用浴槽の扉壁が開いた状態での動作を示す説明図である。
【図４】同介護用浴槽の扉壁が閉じた状態での動作を示す説明図である。
【図５】同介護用浴槽の扉壁を密閉する動作を示す説明図である。
【図６】同介護用浴槽の扉壁が閉じた状態での使用方法を示す説明図である。
【図７】同介護用浴槽の扉壁が開いた状態での使用方法を示す説明図である。
【符号の説明】
【００４１】
１・・・・・介護用浴槽
４・・・・・手摺り
５・・・・・手摺り
６・・・・・浴槽本体
８・・・・・浴槽
８ａ・・・・内底面
８ｂ・・・・開口部
８ｃ・・・・底面
１０・・・・扉壁
１２・・・・スイング装置
１４・・・・軸受
１６・・・・アクチュエータ
１６ａ・・・ピストン
１６ｂ・・・アクチュエータ軸
１８・・・・アーム本体
１８ａ・・・長孔
１８ｂ・・・長孔
１８ｃ・・・バネ係止部
２０・・・・扉壁支持部
２２・・・・扉壁連結部
２４・・・・突上プレート
２４ａ・・・鋭角部
２４ｂ・・・直角部
２６・・・・牽引バー
２８・・・・バネ牽引プレート
３０・・・・バネ
３２・・・・摺動ボルト
３３・・・・摺動ボルト
３４・・・・バネ調整部
３５・・・・連結ボルト
３８・・・・ストッパボルト
４０・・・・支柱
ａ・・・・・介助者
ｈ・・・・・入浴者
ｆ・・・・・床面
ｓ・・・・・空隙
【図１】
0005101219.tif 000002
【図２】
0005101219.tif 000003
【図３】
0005101219.tif 000004
【図４】
0005101219.tif 000005
【図５】
0005101219.tif 000006
【図６】
0005101219.tif 000007
【図７】
0005101219.tif 000008